(57)【要約】【課題】紙葉類収納袋への紙葉類の収納時に当該紙葉類収納袋の接着面に紙葉類が張り付いてしまうことを防止することができるとともに、この接着面の接着力が低下することを抑制することにより紙葉類収納袋の上部開口を確実に密閉させることができる紙葉類収納装置および紙葉類収納方法を提供する。【解決手段】紙葉類収納袋５０をその上部開口が開いた状態で保持するための紙葉類収納袋保持部材４０、４２と、紙葉類収納袋保持部材４０、４２により保持された紙葉類収納袋５０の接着面５４に取り付けられた剥離紙５５を保持するための剥離紙保持部材９０とがそれぞれ設けられている。紙葉類収納袋５０を保持する紙葉類収納袋保持部材４０が移動して紙葉類収納袋５０の上部開口が封止される際に、剥離紙保持部材９０により剥離紙５５が保持されたまま当該剥離紙５５が紙葉類収納袋５０から剥がされる。【選択図】図３
2012174134.tif 000002
【特許請求の範囲】
【請求項１】
紙葉類を機体内に取り込むための取込部と、
前記取込部により機体内に取り込まれた紙葉類を収納するための収納部であって、紙葉類を収納する紙葉類収納袋が着脱自在に設置可能な収納部と、
を備え、
前記収納部は、前記紙葉類収納袋をその上部開口が開いた状態で保持するための紙葉類収納袋保持部材と、前記紙葉類収納袋保持部材により保持された前記紙葉類収納袋の接着面に取り付けられた剥離紙を保持するための剥離紙保持部材とを有し、
前記紙葉類収納袋を保持する前記紙葉類収納袋保持部材が移動して前記紙葉類収納袋の上部開口が封止される際に、前記剥離紙保持部材により前記剥離紙が保持されたまま当該剥離紙が前記紙葉類収納袋から剥がされるようになっていることを特徴とする紙葉類収納装置。
【請求項２】
前記紙葉類収納袋保持部材は、同一平面上で離間して設置された第１保持部材および第２保持部材からなり、前記第１保持部材と前記第２保持部材との間に前記紙葉類収納袋が保持されるようになっており、前記第１保持部材は前記第２保持部材に向かって移動可能となっており、前記第１保持部材が前記第２保持部材に向かって移動して両者が当接したときに前記紙葉類収納袋の上部開口が封止されるようになっており、
前記剥離紙保持部材は前記第１保持部材の近傍に設けられており、当該第１保持部材が移動して前記紙葉類収納袋の上部開口が封止される際に、前記第１保持部材と前記剥離紙保持部材とが離間することにより、前記剥離紙保持部材により前記剥離紙が保持されたまま当該剥離紙が前記紙葉類収納袋から剥がされることを特徴とする請求項１記載の紙葉類収納装置。
【請求項３】
前記紙葉類収納袋を保持した状態で第１保持部材および第２保持部材を一体的に機体内から外部に引き出すことができるようになっており、機体内からの前記第１保持部材および前記第２保持部材の引き出し方向に直交する方向に沿って離間して並ぶよう前記第１保持部材および前記第２保持部材が配置されているとともに、前記引き出し方向に直交する方向に沿って前記第１保持部材は前記第２保持部材に向かって移動可能となっていることを特徴とする請求項２記載の紙葉類収納装置。
【請求項４】
前記紙葉類収納袋を保持した状態で第１保持部材および第２保持部材を一体的に機体内から外部に引き出すことができるようになっており、機体内からの前記第１保持部材および前記第２保持部材の引き出し方向に沿って離間して並ぶよう前記第１保持部材および前記第２保持部材が配置されているとともに、前記引き出し方向に沿って前記第１保持部材は前記第２保持部材に向かって移動可能となっていることを特徴とする請求項２記載の紙葉類収納装置。
【請求項５】
前記剥離紙保持部材により保持された前記剥離紙を検知する剥離紙検知部を更に備えたことを特徴とする請求項１乃至４のいずれか一項に記載の紙葉類収納装置。
【請求項６】
前記剥離紙保持部材により保持されるべき前記剥離紙における前記接着面側の端部が少なくとも１度折れており、折れた先端部分が前記紙葉類収納袋の接着面に取り付けられるようになっていることを特徴とする請求項１乃至５のいずれか一項に記載の紙葉類収納装置。
【請求項７】
紙葉類収納袋に紙葉類を収納させる紙葉類収納方法であって、
前記紙葉類収納袋を紙葉類収納袋保持部材により保持させる工程と、
前記紙葉類収納袋の接着面に取り付けられた剥離紙を剥離紙保持部材により保持させる工程と、
前記紙葉類収納袋を保持する前記紙葉類収納袋保持部材を移動させ、前記紙葉類収納袋の上部開口を封止し、この際に、前記剥離紙保持部材により前記剥離紙を保持したまま当該剥離紙を前記紙葉類収納袋から剥がす工程と、
を備えたことを特徴とする紙葉類収納方法。
【請求項８】
前記紙葉類収納袋保持部材は、同一平面上で離間して設置された第１保持部材および第２保持部材からなり、前記第１保持部材と前記第２保持部材との間に前記紙葉類収納袋が保持されるようになっており、前記第１保持部材は前記第２保持部材に向かって移動可能となっており、前記第１保持部材が前記第２保持部材に向かって移動して両者が当接したときに前記紙葉類収納袋の上部開口が封止されるようになっており、
前記剥離紙保持部材は前記第１保持部材の近傍に設けられており、
前記紙葉類収納袋を保持する前記紙葉類収納袋保持部材を移動させ、前記紙葉類収納袋の上部開口を封止する工程において、前記紙葉類収納袋保持部材のうち前記第１保持部材が移動して前記第２保持部材と当接することにより前記紙葉類収納袋の上部開口を封止し、この際に、前記第１保持部材と前記剥離紙保持部材とが離間することにより、前記剥離紙保持部材により前記剥離紙を保持したまま当該剥離紙を前記紙葉類収納袋から剥がすことを特徴とする請求項７記載の紙葉類収納方法。
【発明の詳細な説明】
【技術分野】
【０００１】
本発明は、機体内に取り込まれた紙葉類を収納する紙葉類収納装置および紙葉類収納方法に関し、とりわけ、紙葉類収納袋への紙葉類の収納時に当該紙葉類収納袋の接着面に紙葉類が張り付いてしまうことを防止することができるとともに、この接着面の接着力が低下することを抑制することにより紙葉類収納袋の上部開口を確実に密閉させることができる紙葉類収納装置および紙葉類収納方法に関する。
【背景技術】
【０００２】
従来から、機体内に取り込まれた紙葉類を収納する紙葉類収納装置として様々なタイプのものが知られている。例えば、特許文献１に開示される紙幣処理装置において、第１フレームと第２フレームとの間にパウチ袋を取り付け、装置内で第１フレームおよび第２フレームによりパウチ袋を開口状態で保持するようになっている。また、この紙幣処理装置では、紙幣をパウチ袋に収納させた後にパウチ袋の上部開口を密閉する際には、第１フレームを装置手前側に引くことにより第１フレームと第２フレームとを互いに当接させてパウチ袋の上部開口を密閉するようになっている。より詳細には、パウチ袋の内面には接着面が形成されており、この接着面の接着によりパウチ袋の上部開口を密閉するようになっている。そして、上部開口の密閉後に第１フレームを更に手前側に引き出すことにより、上部開口が密閉されたパウチ袋を装置内から外部に取り出し、最終的にこのパウチ袋を回収するようになっている。
【先行技術文献】
【特許文献】
【０００３】
【特許文献１】欧州特許出願公開公報ＥＰ１３６９８２６Ａ１
【発明の概要】
【発明が解決しようとする課題】
【０００４】
特許文献１等に開示されるような従来のパウチ袋の密閉機構では、当該密閉機構においてパウチ袋を開口状態で各フレームに取り付け、パウチ袋の剥離紙を剥がして接着面を露出させた後にパウチ袋を各フレームにより保持させるようになっており、パウチ袋の上部開口の密閉を行う際には、この接着面がパウチ袋の内面で接着されるようになっている。しかしながら、このようなパウチ袋の密閉機構では、紙幣を収納する際に接着面が露出されるため、紙幣が自由落下によりパウチ袋の上方から当該パウチ袋内に収納される際に、パウチ袋の内面に形成された接着面に紙幣が張り付いてしまうおそれがある。また、接着面を露出させているので、経年変化により接着面の接着力が低下し、パウチ袋の上部開口が十分に密閉されないおそれがある。
【０００５】
本発明は、このような点を考慮してなされたものであり、紙葉類収納袋への紙葉類の収納時に当該紙葉類収納袋の接着面が露出されることを抑制することにより、紙葉類収納袋への紙葉類の収納時に当該紙葉類収納袋の接着面に紙葉類が張り付いてしまうことを防止することができるとともに、この接着面の接着力が低下することを抑制することにより紙葉類収納袋の上部開口を確実に密閉させることができる紙葉類収納装置および紙葉類収納方法を提供することを目的とする。
【課題を解決するための手段】
【０００６】
本発明の紙葉類収納装置は、紙葉類を機体内に取り込むための取込部と、前記取込部により機体内に取り込まれた紙葉類を収納するための収納部であって、紙葉類を収納する紙葉類収納袋が着脱自在に設置可能な収納部と、を備え、前記収納部は、前記紙葉類収納袋をその上部開口が開いた状態で保持するための紙葉類収納袋保持部材と、前記紙葉類収納袋保持部材により保持された前記紙葉類収納袋の接着面に取り付けられた剥離紙を保持するための剥離紙保持部材とを有し、前記紙葉類収納袋を保持する前記紙葉類収納袋保持部材が移動して前記紙葉類収納袋の上部開口が封止される際に、前記剥離紙保持部材により前記剥離紙が保持されたまま当該剥離紙が前記紙葉類収納袋から剥がされるようになっていることを特徴とする。
【０００７】
このような紙葉類収納装置によれば、紙葉類収納袋に紙葉類が収納される際には接着面に剥離紙を取り付けることにより、紙葉類の収納時に紙葉類収納袋の接着面が露出されることを抑制することができるようになる。このことにより、紙葉類収納袋への紙葉類の収納時に接着面に紙葉類が張り付いてしまうことを防止することができるとともに、この接着面の接着力が低下することを抑制することにより紙葉類収納袋の上部開口を確実に密閉させることができるようになる。さらに、紙葉類収納袋保持部材を移動させるだけで剥離紙を容易に接着面から剥がすことができるようになる。
【０００８】
本発明の紙葉類収納装置においては、前記紙葉類収納袋保持部材は、同一平面上で離間して設置された第１保持部材および第２保持部材からなり、前記第１保持部材と前記第２保持部材との間に前記紙葉類収納袋が保持されるようになっており、前記第１保持部材は前記第２保持部材に向かって移動可能となっており、前記第１保持部材が前記第２保持部材に向かって移動して両者が当接したときに前記紙葉類収納袋の上部開口が封止されるようになっており、前記剥離紙保持部材は前記第１保持部材の近傍に設けられており、当該第１保持部材が移動して前記紙葉類収納袋の上部開口が封止される際に、前記第１保持部材と前記剥離紙保持部材とが離間することにより、前記剥離紙保持部材により前記剥離紙が保持されたまま当該剥離紙が前記紙葉類収納袋から剥がされるようになっていてもよい。
【０００９】
この際に、前記紙葉類収納袋を保持した状態で第１保持部材および第２保持部材を一体的に機体内から外部に引き出すことができるようになっており、機体内からの前記第１保持部材および前記第２保持部材の引き出し方向に直交する方向に沿って離間して並ぶよう前記第１保持部材および前記第２保持部材が配置されているとともに、前記引き出し方向に直交する方向に沿って前記第１保持部材は前記第２保持部材に向かって移動可能となっていてもよい。
【００１０】
あるいは、前記紙葉類収納袋を保持した状態で第１保持部材および第２保持部材を一体的に機体内から外部に引き出すことができるようになっており、機体内からの前記第１保持部材および前記第２保持部材の引き出し方向に沿って離間して並ぶよう前記第１保持部材および前記第２保持部材が配置されているとともに、前記引き出し方向に沿って前記第１保持部材は前記第２保持部材に向かって移動可能となっていてもよい。
【００１１】
本発明の紙葉類収納装置においては、前記剥離紙保持部材により保持された前記剥離紙を検知する剥離紙検知部を更に備えていてもよい。
【００１２】
本発明の紙葉類収納装置においては、前記剥離紙保持部材により保持されるべき前記剥離紙における前記接着面側の端部が少なくとも１度折れており、折れた先端部分が前記紙葉類収納袋の接着面に取り付けられるようになっていてもよい。
【００１３】
本発明の紙葉類収納方法は、紙葉類収納袋に紙葉類を収納させる紙葉類収納方法であって、前記紙葉類収納袋を紙葉類収納袋保持部材により保持させる工程と、前記紙葉類収納袋の接着面に取り付けられた剥離紙を剥離紙保持部材により保持させる工程と、前記紙葉類収納袋を保持する前記紙葉類収納袋保持部材を移動させ、前記紙葉類収納袋の上部開口を封止し、この際に、前記剥離紙保持部材により前記剥離紙を保持したまま当該剥離紙を前記紙葉類収納袋から剥がす工程と、を備えたことを特徴とする。
【００１４】
本発明の紙葉類収納方法においては、前記紙葉類収納袋保持部材は、同一平面上で離間して設置された第１保持部材および第２保持部材からなり、前記第１保持部材と前記第２保持部材との間に前記紙葉類収納袋が保持されるようになっており、前記第１保持部材は前記第２保持部材に向かって移動可能となっており、前記第１保持部材が前記第２保持部材に向かって移動して両者が当接したときに前記紙葉類収納袋の上部開口が封止されるようになっており、前記剥離紙保持部材は前記第１保持部材の近傍に設けられており、前記紙葉類収納袋を保持する前記紙葉類収納袋保持部材を移動させ、前記紙葉類収納袋の上部開口を封止する工程において、前記紙葉類収納袋保持部材のうち前記第１保持部材が移動して前記第２保持部材と当接することにより前記紙葉類収納袋の上部開口を封止し、この際に、前記第１保持部材と前記剥離紙保持部材とが離間することにより、前記剥離紙保持部材により前記剥離紙を保持したまま当該剥離紙を前記紙葉類収納袋から剥がすようになっていてもよい。
【発明の効果】
【００１５】
本発明の紙葉類収納装置および紙葉類収納方法によれば、紙葉類収納袋への紙葉類の収納時に当該紙葉類収納袋の接着面に紙葉類が張り付いてしまうことを防止することができるとともに、この接着面の接着力が低下することを抑制することにより紙葉類収納袋の上部開口を確実に密閉させることができる。
【図面の簡単な説明】
【００１６】
【図１】本発明の一の実施の形態における現金出納装置の外観を示す斜視図である。
【図２】図１に示す現金出納装置における紙幣出納装置の内部構成を示す構成図である。
【図３】図２に示す紙幣出納装置の収納部に設けられた第１保持部材および第２保持部材等の構成を示す斜視図である。
【図４】図２に示す紙幣出納装置の収納部に設置されるべき紙幣収納袋の構成を示す斜視図である。
【図５】図４に示す紙幣収納袋の断面図である。
【図６】（ａ）は、紙幣収納袋を保持する紙幣収納袋固定ピンの構成を示す断面図であり、（ｂ）は、紙幣収納袋を紙幣収納袋固定ピンから解放するための袋外しレバーの構成を示す断面図である。
【図７】（ａ）は、第１保持部材および第２保持部材が離間しているときの各保持部材の上面図であり、（ｂ）は、第１保持部材および第２保持部材が離間しているときの各保持部材の前面図（図７（ａ）を右方から見たときの図）である。
【図８】（ａ）は、第１保持部材および第２保持部材が当接しているときの各保持部材の上面図であり、（ｂ）は、第１保持部材および第２保持部材が当接しているときの各保持部材の前面図（図８（ａ）を右方から見たときの図）である。
【図９】第１保持部材および第２保持部材を筐体内にロックするためのロック機構の構成を示す側面図であって、（ａ）は、ロック機構により枠体がロックされているときの状態を示す側面図であり、（ｂ）は、ロック機構による枠体のロックが解除されたときの状態を示す側面図である。
【図１０】紙幣を紙幣収納袋に押し込むための押し込み機構の構成を示す前面図であって、（ａ）は、押し込み機構により紙幣が紙幣収納袋に押し込まれる前の状態を示す前面図であり、（ｂ）は、押し込み機構により紙幣が紙幣収納袋に押し込まれた後の状態を示す前面図である。
【図１１】図１０に示す押し込み機構の押し込み板に取り付けられた第２伸縮機構の構成を示す構成図であって、（ａ）は、第２伸縮機構が収縮した状態を示す図であり、（ｂ）は、第２伸縮機構が伸張した状態を示す図である。
【図１２】収納部に紙葉類収納袋が設置されているか否かを検知する紙葉類収納袋検知部の構成を示す図である。
【図１３】紙幣収納袋の接着面に取り付けられた剥離紙を保持するための剥離紙保持部材の構成を示す断面図であって、（ａ）は、第１保持部材により保持された紙幣収納袋の剥離紙が剥離紙保持部材により保持された状態を示す断面図であり、（ｂ）は、剥離紙が紙幣収納袋から剥がされた後の状態を示す断面図である。
【発明を実施するための形態】
【００１７】
以下、本発明の一の実施の形態において、本発明に係る紙葉類収納装置として紙幣の処理を行う紙幣出納装置が用いられる場合について説明する。また本実施の形態では、紙幣出納装置および硬貨出納装置が組み合わせられた現金出納装置についても説明する。
【００１８】
図１乃至図１３は、本実施の形態に係る紙幣出納装置およびこの紙幣出納装置を備えた現金出納装置を示す図である。このうち、図１は、本発明の一の実施の形態における現金出納装置の外観を示す斜視図であり、図２は、図１に示す現金出納装置における紙幣出納装置の内部構成を示す構成図である。また、図３乃至図１３は、図２に示す紙幣出納装置に設けられた収納部の構成を示す図である。
【００１９】
まず、図１を用いて現金出納装置１０の構成について説明する。一般的に、スーパーマーケット等の店舗では、店員が顧客との間で実際にやりとりした現金を入出金するフロント領域と、フロント領域の現金や商品を管理するバックヤード領域とに区分けされており、フロント領域には一または複数の現金精算装置が設置されているとともに、バックヤード領域には図１に示すような現金出納装置１０が設置されている。ここで、現金精算装置は、店員によって操作されるようになっており、店員と顧客との間の精算処理が当該現金精算装置によって行われる。例えば、現金精算装置は、顧客が支払った代金を入金したり、顧客へ支払う釣銭を出金したりするようになっている。また、現金出納装置１０は、現金精算装置へ装填するための釣銭準備金を出金したり、現金精算装置から回収した売上金を入金したりするようになっている。そして、現金精算装置および現金出納装置１０にそれぞれ着脱可能となっている現金搬送カセットにより、現金精算装置と現金出納装置１０との間で現金の授受を行うようになっている。なお、現金搬送カセットは、現金精算装置や現金出納装置１０から離脱しているときには当該現金搬送カセット内に収納された現金を取り出せないようになっている。
【００２０】
図１に示すように、バックヤード領域に設置される現金出納装置１０は、紙幣出納装置２０および硬貨出納装置３０を備えている。紙幣出納装置２０は、フロント領域に設置された現金精算装置へ装填する紙幣を出金したり、現金精算装置から回収した紙幣を入金したりするようになっている。また、硬貨出納装置３０は、フロント領域に設置された現金精算装置へ装填する硬貨を出金したり、現金精算装置から回収した硬貨を入金したりするようになっている。
【００２１】
次に、図１および図２を用いて紙幣出納装置２０の構成の概略について説明する。図１に示すように、紙幣出納装置２０は、筐体２０ａと、入金部２１と、出金部２２と、操作表示部２９とを備えており、入金部２１には、紙幣受入ユニット２１ａが着脱自在に装着されている。ここで、紙幣受入ユニット２１ａは、紙幣出納装置２０の外部から紙幣を受け入れて１枚ずつ筐体２０ａ内に繰り出すようになっている。このような紙幣受入ユニット２１ａは、店員が紙幣出納装置２０へ紙幣を手動で入金する場合に用いられるようになっている。なお、入金部２１には、紙幣受入ユニット２１ａの代わりに、前述した現金搬送カセットを装着することができるようになっていてもよい。この場合には、現金搬送カセットが入金部２１に装着されたときに、この現金搬送カセットの内部に設けられた繰出機構により現金搬送カセット内の紙幣が１枚ずつ筐体２０ａ内に繰り出されるようになっている。
【００２２】
図２に示すように、紙幣出納装置２０の筐体２０ａ内には紙幣を１枚ずつ搬送する搬送部２３が設けられており、この搬送部２３の端部２３ａに前述した入金部２１が設けられている。そして、紙幣受入ユニット２１ａが入金部２１に装着されたときに、当該紙幣受入ユニット２１ａから繰り出された紙幣は搬送部２３の端部２３ａを介して当該搬送部２３により搬送されるようになっている。
【００２３】
図２に示すように、搬送部２３には識別部２４が設けられており、この識別部２４によって、搬送部２３により搬送される紙幣の金種、正損、真偽等の識別を行うようになっている。
【００２４】
また、筐体２０ａ内において複数の収納繰出部２５が設けられており、各収納繰出部２５はそれぞれ搬送部２３に接続されている。各収納繰出部２５は、紙幣を金種別に収納するようになっている。より詳細には、識別部２４による識別結果に基づいて、入金部２１から搬送部２３に繰り出された紙幣は当該搬送部２３により各収納繰出部２５に金種別に送られるようになっている。また、各収納繰出部２５は、当該収納繰出部２５に収納された紙幣を１枚ずつ搬送部２３に繰り出すことができるようになっている。各収納繰出部２５は、図２に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００２５】
また、筐体２０ａ内には収納部（回収部）２６が設けられており、この収納部２６は、収納繰出部２５に収納された紙幣を回収する際に用いられるようになっている。より具体的には、収納部２６には、紙幣を収納する紙幣収納袋５０（後述）が着脱自在に設置可能となっており、収納繰出部２５から搬送部２３を経て収納部２６に送られた紙幣が紙幣収納袋５０内に収納されるようになっている。また、各収納繰出部２５に割り当てられていない金種の紙幣や、対応する金種の収納繰出部２５がフル状態のために収納できないオーバーフロー紙幣も紙幣収納袋５０内に収納されるようになっている。そして、収納部２６から紙幣収納袋５０を取り出すことにより、紙幣出納装置２０から紙幣収納袋５０ごと紙幣の回収を行うようになっている。このような収納部２６の構成の詳細については後述する。
【００２６】
また、図２に示すように、紙幣出納装置２０には、機外リジェクト部２７および機内リジェクト部２８がそれぞれ設けられている。ここで、機外リジェクト部２７には、入金部２１により筐体２０ａ内に取り込まれた紙幣のうち識別部２４により正常な紙幣ではないと識別された紙幣がリジェクト紙幣として搬送部２３から送られるようになっており、この機外リジェクト部２７によりリジェクト紙幣を紙幣出納装置２０の外部に投出するようになっている。一方、機内リジェクト部２８には、紙幣出納装置２０の外部に投出することのできないようなリジェクト紙幣が搬送部２３から送られるようになっており、この機内リジェクト部２８にリジェクト紙幣を収納するようになっている。そして、店員等の管理権限のない操作者は機内リジェクト部２８内の紙幣を取り出すことはできないようになっている。
【００２７】
操作表示部２９は、現金出納装置１０における紙幣や硬貨の収納状態等の様々な情報を表示するとともに、店員がデータを入力することができるように構成されている。操作表示部２９は、例えばタッチパネル式のディスプレイ等から構成されている。なお、操作表示部２９は、紙幣出納装置２０または硬貨出納装置３０のいずれか一方に設けられ、それらの両方の情報を表示するために共通に用いられるようになっている。
【００２８】
次に、このような紙幣出納装置２０における収納部２６の構成の詳細について図３乃至図１３を用いて説明する。
【００２９】
本実施の形態による紙幣出納装置２０では、前述のように、紙幣を収納する紙幣収納袋５０が収納部２６に着脱自在に設置可能となっており、搬送部２３から収納部２６に送られた紙幣は、この収納部２６に設置された紙幣収納袋５０内に収納されるようになっている。
【００３０】
図３に示すように、収納部２６は、紙幣収納袋５０をその上部開口が開いた状態で保持する第１保持部材４０および第２保持部材４２を有しており、第１保持部材４０および第２保持部材４２は同一の水平面上で離間して設置されているとともに第１保持部材４０と第２保持部材４２との間に紙幣収納袋５０が保持されるようになっている。また、収納部２６には枠体４４が設けられており、第１保持部材４０および第２保持部材４２はそれぞれ枠体４４により保持されるようになっている。なお、図３において、Ｘ方向は、紙幣出納装置２０の筐体２０ａの奥行き方向（図２における左右方向）であり、Ｙ方向は、紙幣出納装置２０の筐体２０ａの幅方向（図２における紙面に直交する方向）であり、Ｚ方向は、紙幣出納装置２０の筐体２０ａの高さ方向（図２における上下方向）である。
【００３１】
本実施の形態による収納部２６では、筐体２０ａの幅方向であるＹ方向に沿って第１保持部材４０および第２保持部材４２が離間して並ぶよう配置されている。また、このＹ方向に沿って第１保持部材４０は第２保持部材４２に向かって移動可能となっている。そして、第１保持部材４０が第２保持部材４２に向かって移動して両者が当接したときに紙幣収納袋５０の上部開口が封止されるようになっている。また、本実施の形態による収納部２６では、第１保持部材４０および第２保持部材４２が互いに当接した状態でのみこれらの第１保持部材４０および第２保持部材４２を筐体２０ａ内から手前側に（ずなわち、図３におけるＸ方向に）引き出すことができるようになっている。
【００３２】
以下、このような収納部２６の構成の詳細を説明するにあたり、まず、紙幣収納袋５０の構成について図４および図５を用いて説明する。図４は、収納部２６に設置されるべき紙幣収納袋５０の構成を示す斜視図であり、図５は、図４に示す紙幣収納袋５０の断面図である。
【００３３】
図４および図５に示すように、紙幣収納袋５０は、上部が開口した袋本体５１を有しており、この袋本体５１は例えば透明または半透明のビニル樹脂等（例えばポリエチレン）から形成されている。なお、紙幣収納袋５０に収納された紙幣が外部から見られないようにするために、袋本体５１を黒色等の色付きのものとしてもよい。また、袋本体５１の内面には帯電防止加工が施されている。また、袋本体５１の底部にはマチが設けられており、このことにより紙幣収納袋５０の紙幣収納量を増加させるようになっている。
【００３４】
図４および図５に示すように、袋本体５１の外面上部には、第１保持部材４０および第２保持部材４２にそれぞれ保持される一対の被保持部材５２が取り付けられている。各被保持部材５２は例えば黒色等の光非透過材料のフィルム材料から形成されており、このフィルム材料のコシを利用することにより、袋本体５１にシワが発生することを防止したり、パウチの取付に役立てたりするようになっている。また、各被保持部材５２の上端には一対の引掛部５３が当該被保持部材５２から直角に折り曲げられるよう設けられており、各引掛部５３には開口５３ａが形成されている。そして、各引掛部５３が第１保持部材４０および第２保持部材４２によりそれぞれ保持されるようになっている。具体的には、各引掛部５３に形成された開口５３ａに、後述する紙幣収納袋固定ピン６４を貫通することにより、各引掛部５３が第１保持部材４０および第２保持部材４２によりそれぞれ保持されるようになる。また、各引掛部５３と被保持部材５２との間にはミシン目が形成されており、このことにより各引掛部５３を被保持部材５２から容易に折り曲げることができるようになっている。
【００３５】
また、図４および図５に示すように、袋本体５１の内面上部には接着面５４が形成されており、この接着面５４には剥離紙５５が取り付けられている。ここで、図５に示すように剥離紙５５における接着面５４側の端部は同方向に２度折れており、２度折れた先端部分が接着面５４に取り付けられるようになっている。また、剥離紙５５における袋本体５１から離れた箇所には一対の開口５５ａが形成されており（図４参照）、これらの開口５５ａには、後述する剥離紙固定ピン９４を貫通させることができるようになっている。なお、剥離紙５５における接着面５４側の端部はこのような構成に限定されることはなく、剥離紙５５における接着面５４側の端部が１度だけ折れてＶ字形状となっており、折れた先端部分が接着面５４に取り付けられるようになっていてもよい。この場合には、後述する剥離紙保持部材９０により剥離紙５５が保持される際に、この剥離紙５５における折れた先端部分とは反対側の部分が折り曲げられるようになる。
【００３６】
次に、第１保持部材４０および第２保持部材４２により紙幣収納袋５０を保持する構成について、図６を用いてより詳細に説明する。
【００３７】
紙幣収納袋５０が第１保持部材４０および第２保持部材４２により保持される際に、被保持部材５２に設けられた一対の引掛部５３の開口５３ａにそれぞれ紙幣収納袋固定ピン６４が通されるようになっている。図６（ａ）は、紙幣収納袋固定ピン６４の構成を示す断面図である。図６（ａ）に示すように、第１保持部材４０および第２保持部材４２の内部にはそれぞれピン収容部材６２が設けられており（図６（ａ）では第２保持部材４２の内部に設けられたピン収容部材６２について図示している）、紙幣収納袋固定ピン６４は各ピン収容部材６２に収納されるようになっている。また、このピン収容部材６２の内部には圧縮バネ（図示せず）が収容されており、この圧縮バネにより紙幣収納袋固定ピン６４は上下方向に伸縮するようになっている。また、ピン収容部材６２には引掛部分６２ａが設けられており、この引掛部分６２ａが押し下げられると紙幣収納袋固定ピン６４は下方に退避するようになっている。なお、図６（ａ）では、ピン収容部材６２が第２保持部材４２の内部に設けられた例について説明しているが、このようなピン収容部材６２は第１保持部材４０の内部にも設けられるようになっている。
【００３８】
また、第１保持部材４０にはカバー部材６６が取り付けられており、このカバー部材６６には開口６６ａが形成されている。このカバー部材６６の開口６６ａには、紙幣収納袋固定ピン６４が通されるようになっている。そして、紙幣収納袋５０の被保持部材５２における引掛部５３は、第１保持部材４０や第２保持部材４２の上面とカバー部材６６との間に挟まれた状態で、紙幣収納袋固定ピン６４が開口５３ａを貫通することにより当該引掛部５３が紙幣収納袋固定ピン６４に固定されるようになっている。また、図６（ａ）に示すように、紙幣収納袋固定ピン６４は、その上面が斜め方向に傾斜している。このことにより、操作者が紙幣収納袋５０の被保持部材５２における引掛部５３を第１保持部材４０や第２保持部材４２に引っ掛けようとする際に、この引掛部５３を第１保持部材４０や第２保持部材４２の上面とカバー部材６６との間の隙間に挿入すると、紙幣収納袋固定ピン６４はその傾斜した上面が引掛部５３に押されることにより自動的に下方に退避するようになり、このことにより引掛部５３の開口５３ａに紙幣収納袋固定ピン６４を貫通させることができるようになる。
【００３９】
また、第１保持部材４０および第２保持部材４２には袋外しレバー６０がそれぞれ設けられている（なお、図３では、第２保持部材４２に設けられた袋外しレバー６０については図示しているが、第１保持部材４０に設けられた袋外しレバー６０は剥離紙保持部材９０に隠れているための図示されていない）。図６（ｂ）は、袋外しレバー６０の構成を示す断面図である。この袋外しレバー６０は、操作者が下方に押圧することができるようになっている。また、袋外しレバー６０は、図６（ａ）における、ピン収容部材６２の引掛部分６２ａを下方に押圧するための押圧部分６０ａに接続されている。そして、紙幣収納袋５０の被保持部材５２における引掛部５３が第１保持部材４０や第２保持部材４２の上面とカバー部材６６との間に挟まれた状態で、紙幣収納袋固定ピン６４が開口５３ａを貫通しているときに、袋外しレバー６０を下方に押圧すると、押圧部分６０ａがピン収容部材６２の引掛部分６２ａを下方に押圧するようになり、紙幣収納袋固定ピン６４が下方に退避する。このことにより、引掛部５３の開口５３ａから紙幣収納袋固定ピン６４が抜け、操作者は紙幣収納袋５０の引掛部５３を第１保持部材４０や第２保持部材４２から取り外すことができるようになる。
【００４０】
次に、第１保持部材４０を第２保持部材４２に向かって移動させる機構について図７および図８を用いて説明する。ここで、図７（ａ）は、第１保持部材４０および第２保持部材４２が離間しているときの各保持部材４０、４２の上面図であり、図７（ｂ）は、第１保持部材４０および第２保持部材４２が離間しているときの各保持部材４０、４２の前面図（図７（ａ）を右方から見たときの図）である。また、図８（ａ）は、第１保持部材４０および第２保持部材４２が当接しているときの各保持部材４０、４２の上面図であり、図８（ｂ）は、第１保持部材４０および第２保持部材４２が当接しているときの各保持部材４０、４２の前面図（図８（ａ）を右方から見たときの図）である。
【００４１】
図３、図７および図８に示すように、第１保持部材４０にはレバー４６が設けられており、操作者はこのレバー４６を筐体２０ａの手前側（図３におけるＸ方向）に引くことができるようになっている。そして、操作者がレバー４６を筐体２０ａの手前側に引くことにより、第１保持部材４０が第２保持部材４２に向かって移動するようになっている。より詳細には、第１保持部材４０とレバー４６との間には、水平方向に伸縮自在の第１伸縮機構４８が設けられており、第１保持部材４０は第１伸縮機構４８の先端に取り付けられている。この第１伸縮機構４８は例えばパンタグラフ機構から構成されている。そして、操作者がレバー４６を筐体２０ａの手前側に引くことにより、第１伸縮機構４８が図７（ａ）に示すような収縮状態から伸張して図８（ａ）に示すような伸張状態となり、この際に第１保持部材４０が第２保持部材４２に向かって移動するようになる。
【００４２】
以下、第１保持部材４０、第２保持部材４２および第１伸縮機構４８の構成の詳細について説明する。
【００４３】
図７（ｂ）および図８（ｂ）に示すように、枠体４４の側面には水平方向に延びる細長い開口４４ａが設けられている。また、図７（ａ）および図８（ａ）に示すように第１保持部材４０の両端部にはそれぞれ一対のピン部材４０ａが設けられており、各ピン部材４０ａは枠体４４の側面に形成された開口４４ａ内に挿入されるようになっている。そして、各ピン部材４０ａが開口４４ａに沿って移動することにより、第１保持部材４０は図７（ｂ）および図８（ｂ）における左右方向、すなわち図７（ａ）および図８（ａ）における上下方向に移動することができるようになっている。
【００４４】
パンタグラフ機構からなる第１伸縮機構４８は、端部に設けられた４つのピン部材４８ａ、４８ｂ、４８ｃ、４８ｄを有している。これらの４つのピン部材のうち、第１ピン部材４８ａおよび第２ピン部材４８ｂはレバー４６側に設けられており、第３ピン部材４８ｃおよび第４ピン部材４８ｄは第１保持部材４０側に設けられている。また、第１ピン部材４８ａおよび第４ピン部材４８ｄは第１棒状部材４８ｅの両端部に設けられており、第２ピン部材４８ｂおよび第３ピン部材４８ｃは第２棒状部材４８ｆの両端部に設けられている。また、第１棒状部材４８ｅおよび第２棒状部材４８ｆは中央ピン部材４８ｇにより互いに対して回動可能なように接続されている。
【００４５】
また、枠体４４における第１保持部材４０近傍の箇所には細長い開口４４ｂが形成されており、この開口４４ｂに第１ピン部材４８ａが挿入されるようになっている。そして、第１ピン部材４８ａはレバー４６に接続されており、操作者がレバー４６を引くと（この場合、レバー４６は図７（ａ）における右方向に移動する）、第１ピン部材４８ａも開口４４ｂ内で図７（ａ）における右方向に移動する。また、レバー４６には細長い開口４６ａが設けられており、この開口４６ａに第２ピン部材４８ｂが挿入されるようになっている。ここで、第２ピン部材４８ｂは枠体４４に取り付けられており、操作者がレバー４６を引いてもこの第２ピン部材４８ｂは移動しないようになっている。また、レバー４６を引く際に、第２ピン部材４８ｂが当該レバー４６の開口４６ａ内に位置したまま、開口４６ａが移動するようになる。また、第３ピン部材４８ｃは第１保持部材４０に対して図７（ａ）および図７（ｂ）における左右方向に移動可能なように第１保持部材４０に設けられており、一方、第４ピン部材４８ｄは第１保持部材４０に対して移動しないよう当該第１保持部材４０に設けられている。
【００４６】
そして、図７（ａ）に示すように第１保持部材４０および第２保持部材４２が互いに離間した状態にあるときに、操作者がレバー４６を筐体２０ａの手前側に引くと、このレバー４６は図７（ａ）における右方向に移動し、第１伸縮機構４８のピン部材４８ａも図７（ａ）における右方向に移動する。このことにより、第１伸縮機構４８は下方に伸張し、図８（ａ）に示すように第１保持部材４０および第２保持部材４２が互いに当接するようになる。第１保持部材４０および第２保持部材４２が互いに当接すると、図８（ｂ）に示すように、紙幣収納袋５０の上部開口が封止されるようになる。
【００４７】
また、収納部２６における枠体４４には、当該枠体４４を筐体２０ａ内にロックするためのロック機構４９が設けられている。また、第２保持部材４２は、第１保持部材４０の移動方向（すなわち、図７（ａ）等における上下方向）に沿ってわずかに移動可能となっている。そして、第１伸縮機構４８が下方に伸張し、図８（ａ）に示すように第１保持部材４０および第２保持部材４２が互いに当接した後、更にレバー４６を筐体２０ａの手前側に引くことにより第１保持部材４０が第２保持部材４２を押圧して第２保持部材４２を移動させると、ロック機構４９によるロックが解除されて枠体４４を筐体２０ａ内から手前側に引き出すことができるようになっている。このことにより、枠体４４に設けられた第１保持部材４０および第２保持部材４２も筐体２０ａ内から手前側（図３におけるＸ方向）に引き出すことができるようになり、これらの第１保持部材４０および第２保持部材４２に保持された紙幣収納袋５０を回収することができるようになる。
【００４８】
このようなロック機構４９の構成について図９を用いて説明する。なお、図９は、第１保持部材４０および第２保持部材４２を筐体２０ａ内にロックするためのロック機構４９の構成を示す側面図であって、図９（ａ）は、ロック機構４９により枠体４４がロックされているときの状態を示す側面図であり、図９（ｂ）は、ロック機構４９による枠体４４のロックが解除されたときの状態を示す側面図である。図９に示すように、ロック機構４９は、軸４９ｂに枢支されたロック部材４９ａと、ロック部材４９ａが引っ掛けられるロックピン４９ｃとを有している。ロックピン４９ｃは筐体２０ａに位置固定で取り付けられている。また、ロック部材４９ａの軸４９ｂは枠体４４に取り付けられている。このため、ロック部材４９ａがロックピン４９ｃに引っ掛けられるような図９（ａ）に示す状態では、枠体４４を筐体２０ａ内から手前側に（すなわち、図９における右方向）に引き出すことができないようになっている。
【００４９】
また、ロック部材４９ａにはリンク機構（図示せず）が取り付けられており、このリンク機構はレバー４６に接続されている。そして、第２保持部材４２が第１保持部材４０により押圧されて図８（ａ）における下方向に移動すると、レバー４６に接続されたリンク機構によりロック部材４９ａは図９（ａ）に示す状態から軸４９ｂを中心として時計回りの方向に回動するようになっている。このようにして、ロック部材４９ａが図９（ａ）に示す状態から軸４９ｂを中心として時計回りの方向に回動すると、図９（ｂ）に示すようにこのロック部材４９ａはロックピン４９ｃから外れるようになる。ロック部材４９ａがロックピン４９ｃから外れると、枠体４４を筐体２０ａ内から手前側に（すなわち、図９における右方向）に引き出すことができるようになる。
【００５０】
また、収納部２６における枠体４４の上方には、紙幣を紙幣収納袋５０に押し込むための押し込み機構７０が設けられている。このような機構について図１０および図１１を用いて説明する。ここで、図１０（ａ）は、押し込み機構７０により紙幣が紙幣収納袋５０に押し込まれる前の状態を示す前面図であり、図１０（ｂ）は、押し込み機構７０により紙幣が紙幣収納袋５０に押し込まれた後の状態を示す前面図である。
【００５１】
押し込み機構７０は、収納部２６に設置された紙幣収納袋５０の上方に設けられた左右一対の一時保留板７２を有している。これらの一時保留板７２は、搬送部２３から収納部２６に送られた紙幣を紙幣収納袋５０に収納する前に一時的に保留するようになっている。図１０（ａ）において、左右一対の一時保留板７２により一時的に保留された紙幣を参照符号Ｂ１で示す。また、押し込み機構７０には、各一時保留板７２上に一時的に保留された紙幣を下方に押圧することにより当該紙幣を紙幣収納袋５０内に押し込む押し込み板７４が設けられている。
【００５２】
図１０（ａ）（ｂ）に示すように、各一時保留板７２は軸７２ａにより枢支されている。各軸７２ａにはねじりバネが設けられており、一時保留板７２に何ら力が加えられていないときには一時保留板７２は水平方向に延びる状態を維持するが、一時保留板７２に対して下方に押圧するような力が加えられると、ねじりバネの力に抗して一時保留板７２は軸７２ａを中心として回動し、軸７２ａから下方または斜め下方に延びるような位置となる。このように、各一時保留板７２は、図１０（ａ）に示すような、水平方向に延びる保留位置と、図１０（ｂ）に示すような、この保留位置から軸７２ａを中心として回動して下方または斜め下方に延びる解放位置との間で移動するようになっている。そして、図１０（ａ）に示すように各一時保留板７２が保留位置にあるときには、搬送部２３から収納部２６に送られた紙幣は各一時保留板７２に保留されるようになる。
【００５３】
押し込み板７４は、図１０における上下方向に移動することができるようになっている。より詳細には、図１１に示すように、鉛直方向に伸縮自在の第２伸縮機構７６の先端に押し込み板７４が取り付けられるようになっている。第２伸縮機構７６は、例えばパンタグラフ機構から構成されている。ここで、図１１（ａ）は、第２伸縮機構７６が収縮した状態を示し、図１１（ｂ）は、第２伸縮機構７６が伸張した状態を示している。
【００５４】
図１１に示すように、第２伸縮機構７６の上部には位置固定で設けられた天井部材７８が設けられており、第２伸縮機構７６の上端に設けられた第１ピン部材７６ａが天井部材７８に取り付けられている。また、天井部材７８にはラック機構７９が図１１における左右方向に移動可能なように設けられている。ラック機構７９におけるラック面７９ａにはピニオン部材８０が設けられており、このピニオン部材８０には歯車８１が係合している。そして、図示しないモータにより歯車８１が回転駆動させられることにより、ラック機構７９がピニオン部材８０により図１１における左右方向に移動させられるようになっている。また、第２伸縮機構７６の上端に設けられた第２ピン部材７６ｂがラック機構７９の端部に取り付けられており、ラック機構７９が図１１（ａ）に示すような状態から左方に移動することにより、第２ピン部材７６ｂも左方に移動し、第２伸縮機構７６が天井部材７８から下方に伸張するようになる。このようにして、図１１（ｂ）に示すように、第２伸縮機構７６の下端に取り付けられた押し込み板７４も下方に移動するようになる。
【００５５】
本実施の形態では、図１０（ａ）に示すように搬送部２３から収納部２６に送られた紙幣が各一時保留板７２に一時的に保留された状態で（図１０（ａ）における紙幣Ｂ１参照）、第２伸縮機構７６が下方に伸張することにより押し込み板７４が下方に移動すると、当該押し込み板７４が各一時保留板７２上の紙幣を下方に押圧し、各一時保留板７２は図１０（ａ）に示すような保留位置から図１０（ｂ）に示すような解放位置に移動する。このことにより、各一時保留板７２上の紙幣が押し込み板７４により紙幣収納袋５０内に押し込まれるようになる（図１０における紙幣Ｂ２参照）。
【００５６】
また、各一時保留板７２が図１０（ａ）に示すような保留位置から図１０（ｂ）に示すような解放位置に移動したときに、各一時保留板７２は、第１保持部材４０および第２保持部材４２の上方の隙間（図１０（ａ）において参照符号Ｒで表示）をそれぞれ塞ぐようになる（図１０（ｂ）参照）。このことにより、各一時保留板７２に保留された紙幣が紙幣収納袋５０内に収納される際に、第１保持部材４０および第２保持部材４２の上方の隙間Ｒに紙幣が入り込んでしまうことを防止することができ、収納部２６で紙幣詰まり等のトラブルが発生することを防止することができる。
【００５７】
また、本実施の形態では、図１２に示すように、それぞれ枠体４４に設けられた発光部４５ａおよび受光部４５ｂからなる光センサ４５が設けられており、当該光センサ４５において発光部４５ａから発せられた光が受光部４５ｂにより受けられるようになっている。これらの発光部４５ａおよび受光部４５ｂは、第１保持部材４０および第２保持部材４２により紙幣収納袋５０が保持されたときにこの紙幣収納袋５０の被保持部材５２が当接する面に設けられている。このため、第１保持部材４０および第２保持部材４２により紙幣収納袋５０が保持されていないときには、発光部４５ａから発せられた光が受光部４５ｂにより受けられるが、第１保持部材４０および第２保持部材４２により紙幣収納袋５０が保持されたときには、発光部４５ａから発せられた光が光非透過材料からなる被保持部材５２により遮られ、受光部４５ｂには到達しなくなる。このように、発光部４５ａおよび受光部４５ｂからなる光センサ４５により、第１保持部材４０および第２保持部材４２により紙幣収納袋５０が保持されているか否かを検知できるようになる。
【００５８】
また、本実施の形態では、第１保持部材４０および第２保持部材４２により保持された紙幣収納袋５０の接着面５４に取り付けられた剥離紙５５を保持するための剥離紙保持部材９０が設けられている。以下、このような剥離紙保持部材９０の構成について図３および図１３を用いて説明する。なお、図１３（ａ）は、第１保持部材４０により保持された紙幣収納袋５０の剥離紙５５が剥離紙保持部材９０により保持された状態を示す断面図であり、図１３（ｂ）は、剥離紙５５が紙幣収納袋５０から剥がされた後の状態を示す断面図である。
【００５９】
図３に示すように、剥離紙保持部材９０は第１保持部材４０の近傍において枠体４４に取り付けられている。ここで、第１保持部材４０が第２保持部材４２に向かって移動したときにも、剥離紙保持部材９０は移動しないようになっている。また、図１３に示すように、剥離紙保持部材９０は、底板９２と、この底板９２から上方に延びるよう設けられた剥離紙固定ピン９４とを有している。また、底板９２の上方には剥離紙押さえ板９６が設けられており、この剥離紙押さえ板９６はヒンジ部材９８（図３参照）により操作者が手動で底板９２から離間させることができるようになっている。また、剥離紙押さえ板９６にも開口９６ａが形成されており、剥離紙押さえ板９６が底板９２上に載置されたときにこの剥離紙押さえ板９６の開口９６ａを剥離紙固定ピン９４が貫通するようになっている。そして、操作者が手動で剥離紙押さえ板９６を底板９２から離間させ、剥離紙５５に形成された開口５５ａに剥離紙固定ピン９４を貫通させるよう当該剥離紙５５の先端を底板９２上に載置し（図１３（ａ）参照）、剥離紙押さえ板９６を剥離紙５５上にかぶせることにより、剥離紙５５の先端は底板９２と剥離紙押さえ板９６との間に保持されるようになる。
【００６０】
そして、紙幣収納袋５０を保持する第１保持部材４０が第２保持部材４２に向かって移動すると、第１保持部材４０および剥離紙保持部材９０が互いに離間することにより、図１３（ｂ）に示すように、剥離紙保持部材９０により剥離紙５５が保持されたままこの剥離紙５５が紙幣収納袋５０から剥がされるようになる。このようにして、第１保持部材４０および第２保持部材４２が当接したときには、紙幣収納袋５０の内面に形成された接着面５４からは剥離紙５５が剥がされた状態となっているので、当該接着面５４により紙幣収納袋５０の上部開口が封止されるようになる。
【００６１】
また、図３および図１３に示すように、剥離紙保持部材９０には、底板９２と剥離紙押さえ板９６との間に保持された剥離紙５５を検知する剥離紙検知センサ９９が設けられている。具体的には、剥離紙検知センサ９９は例えば光センサからなり、この光センサの発光部９９ａから発せられた光が光非透過材料からなる剥離紙５５により遮られて受光部９９ｂに到達しないことにより、剥離紙５５が剥離紙保持部材９０により保持されていることを検知することができるようになっている。
【００６２】
また、前述のように、剥離紙保持部材９０により保持されるべき剥離紙５５における接着面５４側の端部は同方向に２度折れており、２度折れた先端部分がこの接着面５４に取り付けられるようになっている（図５参照）。このことにより、紙幣収納袋５０を保持する第１保持部材４０が第２保持部材４２に向かって移動して、剥離紙保持部材９０により剥離紙５５が保持されたままこの剥離紙５５が紙幣収納袋５０から剥がされる際に、剥離紙５５をスムーズに紙幣収納袋５０から剥がすことができるようになる。すなわち、例えば剥離紙５５における接着面５４側の端部が１度だけ折れて当該接着面５４に取り付けられている場合には、第１保持部材４０および剥離紙保持部材９０を互いに離間させたときに剥離紙５５が紙幣収納袋５０から剥がれにくいという問題があるが、剥離紙５５における接着面５４側の端部を同方向に２度折ることにより、剥離紙５５を紙幣収納袋５０から剥がれやすくすることができる。なお、前述したように、剥離紙５５における接着面５４側の端部が１度だけ折れてＶ字形状となっており、折れた先端部分が接着面５４に取り付けられるようになっていてもよい。この場合には、後述する剥離紙保持部材９０により剥離紙５５が保持される際に、この剥離紙５５における折れた先端部分とは反対側の部分が折り曲げられるようになる。
【００６３】
また、本実施の形態においては、第２保持部材４２に対する第１保持部材４０の位置を検知する第１保持部材検知部４７が設けられている（図１２参照）。この第１保持部材検知部４７は、例えば第１保持部材４０にそれぞれ設けられた発光部４７ａおよび受光部４７ｂからなり、発光部４７ａから発せられて第２保持部材４２の側面で反射した光が受光部４７ｂにより受けられることにより、第１保持部材４０と第２保持部材４２との間の距離を検知するようになっている。そして、第１保持部材検知部４７により検知される、第１保持部材４０と第２保持部材４２との間の距離に基づいて、紙幣収納袋５０の上部開口における開口の度合いが検知されるようになっている。
【００６４】
なお、第２保持部材４２に対する第１保持部材４０の位置を検知する第１保持部材検知部４７の代わりに、レバー４６の位置を検知するレバー検知部（図示せず）が設けられていてもよい。この場合には、レバー検知部により検知されるレバー４６の位置に基づいて算出される、第１保持部材４０と第２保持部材４２との間の距離に基づいて紙幣収納袋５０の上部開口における開口の度合いが検知されるようになる。また、開口の度合いに応じて、操作表示部２９等の表示部により報知を行うことができる。具体的には、ある位置を超えて第１保持部材４０が移動してしまった時には、紙幣収納袋５０が若干密着してしまい、そのままの状態では紙幣の収納動作に影響するため、「レバーを引き出し、紙幣収納袋を密封させて下さい」等の表示を行うことにより操作者に報知を行うことができる。
【００６５】
次に、このような構成からなる紙幣出納装置２０の収納部２６における紙幣の収納動作について説明する。
【００６６】
まず、操作者が手動で空の紙幣収納袋５０を収納部２６に設置する。具体的には、収納部２６における第１保持部材４０および第２保持部材４２により紙幣収納袋５０の各被保持部材５２を保持させるようにする。より詳細には、図６（ａ）に示すように、各被保持部材５２に設けられた引掛部５３を、操作者が第１保持部材４０や第２保持部材４２の上面とカバー部材６６との間の隙間に挿入すると、紙幣収納袋固定ピン６４における斜め方向に傾斜した上面に引掛部５３が乗ることにより、紙幣収納袋固定ピン６４が引掛部５３により押圧されて下方に一旦退避し、その後引掛部５３の開口５３ａに紙幣収納袋固定ピン６４が貫通するよう当該紙幣収納袋固定ピン６４が上方に再び伸びるようになる。このようにして、紙幣収納袋５０の各引掛部５３が第１保持部材４０および第２保持部材４２にそれぞれ引っ掛けられるようになる。紙幣収納袋５０が収納部２６に設置されると、光センサ４５によりこのことが検知される。
【００６７】
また、紙幣収納袋５０が第１保持部材４０および第２保持部材４２により保持された後、この紙幣収納袋５０の接着面５４に取り付けられた剥離紙５５を剥離紙保持部材９０により保持させるようにする。具体的には、操作者が手動で剥離紙押さえ板９６を底板９２から離間させ、この底板９２から上方に延びる剥離紙固定ピン９４に剥離紙５５の開口５５ａを貫通させ、その後剥離紙押さえ板９６を底板９２上に載置させることにより、図１３（ａ）に示すように、剥離紙５５が底板９２と剥離紙押さえ板９６との間に保持される。そして、剥離紙５５が剥離紙保持部材９０に保持されると、剥離紙検知センサ９９によりこのことが検知される。
【００６８】
紙幣収納袋５０が第１保持部材４０および第２保持部材４２により保持されるとともに、この紙幣収納袋５０の接着面５４に取り付けられた剥離紙５５が剥離紙保持部材９０により保持されると、搬送部２３から収納部２６に送られた紙幣を紙幣収納袋５０内に収納させることができるようになる。より具体的には、搬送部２３から収納部２６に送られた紙幣は、まず各一時保留板７２上に保留される（図１０（ａ）における紙幣Ｂ１参照）。そして、各一時保留板７２上に保留された紙幣は、押し込み板７４により紙幣収納袋５０内に押し込まれる。具体的には、図１０（ａ）に示すように搬送部２３から収納部２６に送られた紙幣が各一時保留板７２に一時的に保留された状態で、第２伸縮機構７６が下方に伸張することにより押し込み板７４が下方に移動すると、当該押し込み板７４が各一時保留板７２上の紙幣を下方に押圧し、各一時保留板７２は図１０（ａ）に示すような保留位置から図１０（ｂ）に示すような解放位置に移動する。このことにより、各一時保留板７２上の紙幣が押し込み板７４により紙幣収納袋５０内に押し込まれるようになる（図１０における紙幣Ｂ２参照）。ここで、各一時保留板７２が図１０（ａ）に示すような保留位置から図１０（ｂ）に示すような解放位置に移動したときに、各一時保留板７２は、第１保持部材４０および第２保持部材４２の上方の隙間（図１０（ａ）において参照符号Ｒで表示）をそれぞれ塞ぐようになる（図１０（ｂ）参照）。
【００６９】
紙幣収納袋５０に紙幣が収納された後、この紙幣収納袋５０を収納部２６から取り出して紙幣収納袋５０ごと紙幣を回収する際には、操作者はレバー４６を筐体２０ａから手前側に引く。このことにより、第１伸縮機構４８が図７（ａ）に示すような収縮状態から伸張して図８（ａ）に示すような伸張状態となり、第１保持部材４０および第２保持部材４２が互いに当接するようになる。ここで、紙幣収納袋５０を保持する第１保持部材４０が第２保持部材４２に向かって移動すると、第１保持部材４０および剥離紙保持部材９０が互いに離間することにより、図１３（ｂ）に示すように、剥離紙保持部材９０により剥離紙５５が保持されたままこの剥離紙５５が紙幣収納袋５０から剥がされるようになる。このようにして、第１保持部材４０および第２保持部材４２が当接したときには、紙幣収納袋５０の内面に形成された接着面５４からは剥離紙５５が剥がされた状態となっているので、当該接着面５４により紙幣収納袋５０の上部開口が封止されるようになる。
【００７０】
また、図８（ａ）に示すように第１保持部材４０および第２保持部材４２が互いに当接した後、更にレバー４６を操作者が筐体２０ａの手前側に引くことにより第１保持部材４０が第２保持部材４２を押圧して第２保持部材４２を移動させると、ロック機構４９によるロックが解除されて枠体４４を筐体２０ａ内から手前側に引き出すことができるようになる。このようにして、操作者は枠体４４に設けられた第１保持部材４０および第２保持部材４２を筐体２０ａ内から手前側に引き出すことができるようになり、これらの保持部材４０、４２により保持された、上部開口が封止された紙幣収納袋５０も筐体２０ａ内から手前側に引き出されることとなる。その後、操作者が第１保持部材４０および第２保持部材４２にそれぞれ設けられた袋外しレバー６０を下方に押圧すると、この袋外しレバー６０に接続された押圧部分６０ａがピン収容部材６２の引掛部分６２ａを下方に押圧するようになり、紙幣収納袋固定ピン６４が第１保持部材４０や第２保持部材４２の内部に退避する。このことにより、引掛部５３の開口５３ａから紙幣収納袋固定ピン６４が抜け、操作者は紙幣収納袋５０の引掛部５３を第１保持部材４０や第２保持部材４２から取り外すことができるようになる。このようにして、上部開口が封止された紙幣収納袋５０を第１保持部材４０および第２保持部材４２から取り外し、この紙幣収納袋５０を回収することができるようになる。
【００７１】
以上のように本実施の形態の紙幣出納装置２０によれば、紙幣収納袋５０をその上部開口が開いた状態で保持するための第１保持部材４０および第２保持部材４２と、第１保持部材４０および第２保持部材４２により保持された紙幣収納袋５０の接着面５４に取り付けられた剥離紙５５を保持するための剥離紙保持部材９０とがそれぞれ設けられており、紙幣収納袋５０を保持する第１保持部材４０が移動して紙幣収納袋５０の上部開口が封止される際に、剥離紙保持部材９０により剥離紙５５が保持されたまま当該剥離紙５５が紙幣収納袋５０から剥がされるようになっている。このように、紙幣収納袋５０に紙幣が収納される際には接着面５４に剥離紙５５を取り付けることにより、紙幣の収納時に紙幣収納袋５０の接着面５４が露出されることを抑制することができるようになる。このことにより、紙幣収納袋５０への紙幣の収納時に接着面５４に紙幣が張り付いてしまうことを防止することができるとともに、この接着面５４の接着力が低下することを抑制することにより紙幣収納袋５０の上部開口を確実に密閉させることができるようになる。さらに、第１保持部材４０を移動させるだけで剥離紙５５を容易に接着面５４から剥がすことができるようになる。
【００７２】
また、本実施の形態の紙幣出納装置２０においては、紙幣収納袋５０を保持した状態で第１保持部材４０および第２保持部材４２を一体的に筐体２０ａ内から外部に引き出すことができるようになっており、筐体２０ａ内からの第１保持部材４０および第２保持部材４２の引き出し方向（図３におけるＸ方向）に直交する方向（図３におけるＹ方向）に沿って離間して並ぶよう第１保持部材４０および第２保持部材４２が配置されているとともに、この引き出し方向に直交する方向に沿って第１保持部材４０は第２保持部材４２に向かって移動可能となっている。
【００７３】
また、本実施の形態の紙幣出納装置２０においては、剥離紙保持部材９０により保持された剥離紙５５を検知する剥離紙検知センサ９９が設けられている。このことにより、剥離紙５５が剥離紙保持部材９０により保持されたか否かを検知することができるようになる。
【００７４】
また、本実施の形態の紙幣出納装置２０においては、剥離紙保持部材９０により保持されるべき剥離紙５５における接着面５４側の端部が少なくとも１度折れており、折れた先端部分が紙幣収納袋５０の接着面５４に取り付けられるようになっている。このことにより、紙幣収納袋５０を保持する第１保持部材４０が第２保持部材４２に向かって移動して、剥離紙保持部材９０により剥離紙５５が保持されたままこの剥離紙５５が紙幣収納袋５０から剥がされる際に、剥離紙５５をスムーズに紙幣収納袋５０の接着面５４から剥がすことができるようになる。
【００７５】
また、本実施の形態における、紙幣収納袋５０に紙幣を収納させる紙幣収納方法によれば、まず、紙幣収納袋５０を第１保持部材４０および第２保持部材４２により保持させるとともに、紙幣収納袋５０の接着面５４に取り付けられた剥離紙５５を剥離紙保持部材９０により保持させる。その後、紙幣収納袋５０を保持する第１保持部材４０を移動させ、紙幣収納袋５０の上部開口を封止し、この際に、剥離紙保持部材９０により剥離紙５５を保持したまま当該剥離紙５５を紙幣収納袋５０から剥がすようにする。
【００７６】
なお、本発明による紙葉類収納装置は、上記の態様に限定されるものではなく、様々の変更を加えることができる。例えば、本発明による紙葉類収納装置として、バックヤード領域に設けられる紙幣出納装置２０に限定されることはない。また、本発明による紙葉類収納装置は、紙幣以外の紙葉類を収納するものであってもよい。この場合、紙葉類を収納する紙葉類収納袋が収納部に着脱自在に設置されるようになる。
【００７７】
また、紙葉類収納袋を保持する第１保持部材および第２保持部材は、図３に示すように機体内からの第１保持部材および第２保持部材の引き出し方向に直交する方向に沿って離間して並ぶよう配置されることに限定されない。他の例として、紙葉類収納袋を保持する第１保持部材および第２保持部材が、これらの第１保持部材および第２保持部材の筐体からの引き出し方向に沿って離間して並ぶよう配置されていてもよい。この場合、引き出し方向に沿って第１保持部材が第２保持部材に向かって移動可能な構成となり、第１保持部材が移動して第２保持部材と当接したときに紙葉類収納袋の上部開口が封止され、この際に剥離紙保持部材により剥離紙が保持されたまま当該剥離紙が紙葉類収納袋から剥がされるようになる。
【符号の説明】
【００７８】
１０  現金出納装置
２０  紙幣出納装置
２０ａ  筐体
２１  入金部
２１ａ  紙幣受入ユニット
２２  出金部
２３  搬送部
２３ａ  端部
２４  識別部
２５  収納繰出部
２６  収納部
２７  機外リジェクト部
２８  機内リジェクト部
２９  操作表示部
３０  硬貨出納装置
４０  第１保持部材
４０ａ  ピン部材
４２  第２保持部材
４４  枠体
４４ａ  開口
４４ｂ  開口
４５  光センサ
４５ａ  発光部
４５ｂ  受光部
４６  レバー
４６ａ  開口
４７  第１保持部材検知部
４７ａ  発光部
４７ｂ  受光部
４８  第１伸縮機構
４８ａ〜４８ｄ  ピン部材
４８ｅ  第１棒状部材
４８ｆ  第２棒状部材
４８ｇ  中央ピン部材
４９  ロック機構
４９ａ  ロック部材
４９ｂ  軸
４９ｃ  ロックピン
５０  紙幣収納袋
５１  袋本体
５２  被保持部材
５３  引掛部
５３ａ  開口
５４  接着面
５５  剥離紙
６０  袋外しレバー
６０ａ  押圧部分
６２  ピン収容部材
６２ａ  引掛部分
６４  紙幣収納袋固定ピン
６６  カバー部材
７０  押し込み機構
７２  一時保留板
７２ａ  軸
７４  押し込み板
７６  第２伸縮機構
７６ａ  第１ピン部材
７６ｂ  第２ピン部材
７８  天井部材
７９  ラック機構
７９ａ  ラック面
８０  ピニオン部材
８１  歯車
９０  剥離紙保持部材
９２  底板
９４  剥離紙固定ピン
９６  剥離紙押さえ板
９６ａ  開口
９８  ヒンジ部材
９９  剥離紙検知センサ
９９ａ  発光部
９９ｂ  受光部
【図１】
2012174134.tif 000003
【図２】
2012174134.tif 000004
【図３】
2012174134.tif 000005
【図４】
2012174134.tif 000006
【図５】
2012174134.tif 000007
【図６】
2012174134.tif 000008
【図７】
2012174134.tif 000009
【図８】
2012174134.tif 000010
【図９】
2012174134.tif 000011
【図１０】
2012174134.tif 000012
【図１１】
2012174134.tif 000013
【図１２】
2012174134.tif 000014
【図１３】
2012174134.tif 000015